(57)【要約】【課題】単一の調湿素子を用いて、調湿空間の除湿および加湿の双方向の湿度制御を可能にする。【解決手段】調湿装置２００Ａは、除湿面１１１および加湿面１１２を有する調湿素子１００と湿度を調整する調湿空間３０００と連通する開口部をそれぞれ有する除湿空間１０００および加湿空間２０００を含む筐体２１０と、を備える。筐体２１０は、除湿空間１０００の調湿空間３０００と連通する開口部に設けられる開閉可能な電磁弁２２０Ａと、加湿空間２０００の調湿空間３０００と連通する開口部に設けられる開閉可能な電磁弁２２０Ｃと、を有する。調湿素子１００は、除湿面１１１が除湿空間１０００に露出し、加湿面１１２が加湿空間２０００に露出して配置されている。【選択図】図４
2020046154.tif 000002
【特許請求の範囲】
【請求項１】
除湿面および加湿面を有する調湿素子と、
湿度を調整する調湿空間と連通する開口部をそれぞれ有する除湿空間および加湿空間を含む筐体と、
前記除湿空間と前記調湿空間との連通路を開閉する第１の弁と、
前記加湿空間と前記調湿空間との連通路を開閉する第２の弁と、を備え、
前記調湿素子は、前記除湿面が前記除湿空間に露出し、前記加湿面が前記加湿空間に露出して配置されている、
調湿装置。
【請求項２】
前記第１の弁と前記第２の弁の開閉を制御する弁制御部、および、前記調湿素子に電圧を印加する電圧印加部を含む制御装置と、
前記調湿空間の湿度を測定する湿度センサと、をさらに備え、
前記制御装置は、
前記湿度センサが測定した湿度が、設定湿度よりも大きい場合は、前記電圧印加部が前記調湿素子に電圧を印加して、前記弁制御部が前記第１の弁を開いて、前記第２の弁を閉じる除湿制御を行い、
前記湿度センサが測定した湿度が、設定湿度よりも小さい場合は、前記電圧印加部が前記調湿素子に電圧を印加して、前記弁制御部が前記第２の弁を開いて、前記第１の弁を閉じる加湿制御を行う、
請求項１に記載の調湿装置。
【請求項３】
前記除湿空間および前記加湿空間はそれぞれ、外部空間と連通する開口部をさらに有し、
前記除湿空間の前記外部空間と連通する開口部に設けられる開閉可能な第３の弁と、
前記加湿空間の前記外部空間と連通する開口部に設けられる開閉可能な第４の弁と、をさらに備える、
請求項１に記載の調湿装置。
【請求項４】
前記第１の弁、前記第２の弁、前記第３の弁および前記第４の弁の開閉を制御する弁制御部、および、前記調湿素子に電圧を印加する電圧印加部を含む制御装置と、
前記調湿空間の湿度を測定する湿度センサと、をさらに備え、
前記制御装置は、
前記湿度センサが測定した湿度が、設定湿度よりも大きい場合は、前記電圧印加部が前記調湿素子に電圧を印加して、前記弁制御部が前記第１の弁を開いて前記第３の弁を閉じ、かつ、前記第４の弁を開いて前記第２の弁を閉じる除湿制御を行い、
前記湿度センサが測定した湿度が、設定湿度よりも小さい場合は、前記電圧印加部が前記調湿素子に電圧を印加して、前記弁制御部が前記第３の弁を開いて前記第１の弁を閉じ、かつ、前記第２の弁を開いて前記第４の弁を閉じる加湿制御を行う、
請求項３に記載の調湿装置。
【請求項５】
設定湿度とその許容幅を入力する操作盤をさらに備え、
前記制御装置は、
前記湿度センサが測定した湿度が、前記操作盤に入力された設定湿度に許容幅を加算した許容上限値よりも大きい場合は、前記除湿制御を行い、
前記湿度センサが測定した湿度が、前記操作盤に入力された設定湿度から許容幅を減算した許容下限値よりも小さい場合は、前記除湿制御を行い、
前記湿度センサが測定した湿度が、前記許容下限値から前記許容上限値までの範囲内にある場合は、前記電圧印加部が電圧の印加を停止し、前記弁制御部が前記第１の弁および前記第２の弁を閉じる停止制御を行う、
請求項２又は４に記載の調湿装置。
【請求項６】
少なくとも除湿および加湿の指示を入力可能な操作盤をさらに備え、
前記制御装置は、
前記操作盤に除湿の指示が入力された場合は、前記除湿制御を行い、
前記操作盤に加湿の指示が入力された場合は、前記加湿制御を行う、
請求項２又は４に記載の調湿装置。
【請求項７】
前記操作盤は、停止の指示をさらに入力可能であって、
前記制御装置は、
前記操作盤に停止の指示が入力された場合は、前記電圧印加部が前記調湿素子への電圧の印加を停止し、前記弁制御部が前記第１の弁および前記第２の弁を閉じる停止制御を行う、
請求項６に記載の調湿装置。
【請求項８】
前記加湿空間内に、水を貯水する貯水槽、および、結露した水分を前記貯水槽へ誘導するテーパー部をさらに備え、
水生成の指示を入力可能な操作盤と、
前記操作盤に水生成の指示が入力された場合は、前記調湿素子に電圧を印加して、前記第３の弁を開いて、前記第１の弁、前記第２の弁および前記第４の弁を閉じる水生成制御を行う制御装置と、をさらに備える
請求項３又は４に記載の調湿装置。
【請求項９】
少なくとも電圧印加ＯＮ−ＯＦＦの指示を入力可能な操作盤と、
前記操作盤に電圧印加ＯＮの指示が入力された場合は、前記調湿素子に電圧を印加し、前記操作盤に電圧印加ＯＦＦの指示が入力された場合は、前記調湿素子への電圧の印加を停止する制御装置と、
をさらに備える請求項１から７の何れか１項に記載の調湿装置。
【請求項１０】
前記加湿空間内に、水を貯蔵する貯水槽、および、結露した水分を前記貯水槽へ誘導するテーパー部をさらに備える、請求項９に記載の調湿装置。
【請求項１１】
除湿面および加湿面を有する調湿素子と、湿度を調整する対象の調湿空間と連通する開口部をそれぞれ有する除湿空間および加湿空間と、を備え、前記調湿素子は前記除湿面が前記除湿空間に露出し、前記加湿面が前記加湿空間に露出して配置されている調湿装置が実行する調湿方法であって、
前記除湿空間と前記調湿空間とを連通するステップと、
前記加湿空間と前記調湿空間とを連通するステップと、
を備える調湿方法。
【発明の詳細な説明】
【技術分野】
【０００１】
本発明は、調湿装置および調湿方法に関する。
【背景技術】
【０００２】
水の電気分解反応を利用した調湿素子として、固体高分子電解質膜の一方の面に陽極が設けられ、他方の面に陰極が設けられた構造のものが広く用いられている。このような調湿素子に電圧を印加すると、陽極側で水を電気分解する反応、陰極側で水が発生する反応が起こる。
【０００３】
特許文献１および特許文献２には、いずれも、固体高分子電解質膜と、チタンメッシュから構成され、固体高分子電解質膜の一面に設けられた陽極と、カーボンペーパーから構成され、固体高分子電解質膜の他面に配置された陰極とを有する調湿素子が開示されている。特許文献１および特許文献２の調湿素子は、構造は共通しているが、調湿の対象となる空間（以下、調湿空間という）に露出する面が逆である。特許文献１に記載の発明では、加湿器として用いられ、特許文献２に記載の発明では、除湿器として用いられている。
【０００４】
監視カメラ、制御盤などの結露を防止するためには、調湿対象の空間の湿度は低いほど好ましい。このため、調湿装置は、除湿機能だけを有すれば足りる。しかし、博物館の展示ケース、植物、食品などを展示する展示ケースなどの場合、結露が生じず、かつ展示物にとって適正な湿度を保つことが好ましい。このため、除湿および加湿の両方の機能を有し、湿度を自在に調整可能な調湿装置が求められている。
【先行技術文献】
【特許文献】
【０００５】
【特許文献１】特開２０１７−２１３５５０号公報
【特許文献２】特開２００６−１５９０９１号公報
【発明の概要】
【発明が解決しようとする課題】
【０００６】
特許文献１および特許文献２に記載されているように、一般的な調湿装置は、除湿あるいは加湿のどちらかの機能を有するものであり、１つの調湿素子を用いて除湿機能と加湿機能の双方向の機能を持つものは存在しなかった。
【０００７】
１つの調湿素子を備える調湿装置に除湿および加湿の両方の機能を持たせる手段として、調湿素子の印加電圧の方向を逆転させる方法が考えられる。しかし、前述の構造を持つ調湿素子の陽極に負電圧を印加し、陰極に正電圧を印加した場合、陰極側で水が電気分解されたことで発生する酸素が、カーボンペーパーの炭素と反応して二酸化炭素になりカーボンペーパーが損耗してしまう。このため、電圧印加方向を逆転させる方法は、１つの調湿素子で除湿および加湿の両方の機能を有する調湿装置を実現するのに適していない。
【０００８】
また、カーボンペーパーの損耗を抑制するため、陰極のカーボンペーパーを、陽極と同じように、チタンメッシュに置き換えて調湿素子を作製することも考えられる。しかし、カーボン繊維が織り込まれた構造を有するカーボンペーパーに比べて、チタンメッシュは担持できる触媒の体積が小さい。このため、水が発生する反応の反応効率が落ち、副生成物として水素が発生してしまい、これが調湿空間内に蓄積してしまうという問題が起こる。
【０００９】
本発明は、上記のような問題点に鑑みてなされたものであり、単一の調湿素子を用いて、調湿空間の除湿および加湿の双方向の湿度制御を可能にすることを目的とする。
【課題を解決するための手段】
【００１０】
上記目的を達成するため、本発明に係る調湿装置は、調湿素子と、筐体と、第１の弁と、第２の弁とを備える。調湿素子は、除湿面および加湿面を有する。筐体は、湿度を調整する調湿空間と連通する開口部をそれぞれ有する除湿空間および加湿空間を含む。第１の弁は、除湿空間と調湿空間との連通路を開閉する。第２の弁は、加湿空間と調湿空間との連通路を開閉する。調湿素子は、除湿面が除湿空間に露出し、加湿面が加湿空間に露出して配置されている。
【発明の効果】
【００１１】
本発明によれば、調湿素子の除湿面で除湿された除湿空間と調湿空間とを連通して調湿空間を除湿し、加湿面で加湿された加湿空間と調湿空間とを連通して調湿空間を加湿することで、単一の調湿素子で、調湿空間の除湿および加湿が可能になる。
【図面の簡単な説明】
【００１２】
【図１】本発明の実施の形態１に係る調湿装置が備える調湿素子の構成例を示す断面図
【図２】図１に示す調湿素子が調湿空間を除湿する動作を示す断面図
【図３】図１に示す調湿素子が調湿空間を加湿する動作を示す断面図
【図４】実施の形態１に係る調湿装置の構造の一例を示す断面図
【図５】実施の形態１に係る制御装置の機能構成例を示すブロック図
【図６】実施の形態１に係る操作表示盤の表示画面の例を示す図
【図７】実施の形態１に係る除湿制御について説明するための図
【図８】実施の形態１に係る加湿制御について説明するための図
【図９】実施の形態１に係る調湿処理を示すフローチャート
【図１０】実施の形態１に係る調湿装置の構造の他の例を示す断面図
【図１１】本発明の実施の形態２に係る操作表示盤の表示画面の例を示す図
【図１２】実施の形態２に係る調湿処理を示すフローチャート
【図１３】本発明の実施の形態３に係る調湿装置の構造の一例を示す断面図
【図１４】実施の形態３に係る制御装置の機能構成例を示すブロック図
【図１５】実施の形態３に係る操作表示盤の表示画面の例を示す図
【図１６】実施の形態３に係る調湿処理を示すフローチャート
【図１７】本発明の実施の形態４に係る調湿装置の構造の一例を示す断面図
【図１８】実施の形態４に係る操作表示盤の表示画面の例を示す図
【図１９】実施の形態４に係る調湿処理を示すフローチャート
【図２０】本発明の実施の形態４の変形例１に係る操作表示盤の表示画面の例を示す図
【図２１】実施の形態４の変形例１に係る調湿処理を示すフローチャート
【図２２】実施の形態４の変形例２に係る調湿装置の構造の一例を示す断面図
【発明を実施するための形態】
【００１３】
以下に、本実施の形態に係る調湿装置および調湿方法について図面を参照して詳細に説明する。なお、図中同一または相当する部分には同じ符号を付す。
【００１４】
（実施の形態１）
実施の形態１に係る調湿装置は、１つの調湿素子を用いて調湿空間を加湿及び除湿する能力を有する。そこで、始めに、実施の形態１に係る調湿装置が備える調湿素子１００を、図１を参照して説明する。
【００１５】
図示するように、調湿素子１００は、陽極側給電体１１０、陽極側触媒層１２０、陽極多孔質電極１３０、固体高分子電解質膜１４０、陰極側触媒層１５０、陰極多孔質電極１６０、および、陰極側給電体１７０および枠体１８０を備える。枠体１８０は、陽極側給電体１１０、陽極側触媒層１２０を担持した陽極多孔質電極１３０、固体高分子電解質膜１４０、陰極側触媒層１５０を担持した陰極多孔質電極１６０、陰極側給電体１７０の順に積層された積層体の周縁を保持する。
【００１６】
陽極側給電体１１０は、例えば白金めっき膜を有する環状のチタン材で構成される。陰極側給電体１７０は、例えば環状のステンレス材で構成される。環状の陽極側給電体１１０の開口を介して陽極側触媒層１２０を担持した陽極多孔質電極１３０が露出している。環状の陰極側給電体１７０の開口を介して陰極側触媒層１５０を担持した陰極多孔質電極１６０が露出している。以下、調湿素子１００の陽極側給電体１１０の開口から露出している面を除湿面１１１と呼び、陰極側給電体１７０の開口から露出している面を加湿面１１２と呼ぶ。
【００１７】
陽極側給電体１１０は、外部電源９の正電極に接続され、陰極側給電体１７０は、外部電源９の負電極に接続される。外部電源９より導線を通して調湿素子１００に電圧を印加すると、陽極側触媒層１２０で（１）の反応、陰極側触媒層１５０で（２）の反応が起こる。
２Ｈ２Ｏ  →  Ｏ２＋４Ｈ＋＋４ｅ−  ・・・（１）
Ｏ２＋４Ｈ＋＋４ｅ−  →  ２Ｈ２Ｏ  ・・・（２）
【００１８】
以下の説明では、（１）の反応を除湿反応、（２）の反応を加湿反応という。陽極多孔質電極１３０は、除湿反応で発生した電子を外部電源９へ伝達する。陽極多孔質電極１３０は、例えば白金めっき膜を有するチタンの金属メッシュで構成される。陽極多孔質電極１３０が有する白金めっき膜は、陽極多孔質電極１３０の近傍で発生する酸素により金属メッシュが酸化してしまうことを防ぐ。陽極側触媒層１２０を担持する陽極多孔質電極１３０がメッシュ状、多孔質形状であることで、空気中の水分が固体高分子電解質膜１４０に接する。
【００１９】
陽極側触媒層１２０は、除湿反応を活性化させ、水の電気分解により生じた酸素原子が結合してオゾンになるのを抑制する。陽極側触媒層１２０は、例えば、白金粒子と、フッ素樹脂系のパーフルオロスルホン酸溶液、例えばナフィオン（登録商標）液と、水とを混ぜ合わせたもので構成される。
【００２０】
固体高分子電解質膜１４０は、陽極側の除湿反応で発生した水素イオンを、加湿反応が起こる陰極側へと透過させる。固体高分子電解質膜１４０は、例えば、フッ素樹脂系のパーフルオロスルホン酸膜、例えばナフィオン（登録商標）膜で構成される。
【００２１】
陰極多孔質電極１６０は、外部電源９からの電子を、加湿反応が起こる領域である陰極側触媒層１５０へ伝達する。陰極多孔質電極１６０は、例えば積層された炭素繊維がシート状に成型されたカーボンシートで構成される。陰極側触媒層１５０を担持する陰極多孔質電極１６０が多孔質形状であることで、固体高分子電解質膜１４０の水分が空気中に排出される。
【００２２】
陰極側触媒層１５０は、加湿反応を活性化し、水素イオンが結合して水素分子になるのを抑制する。陰極側触媒層１５０は、例えば白金を担持したカーボン粉末触媒で構成される。
【００２３】
枠体１８０は、例えばエポキシ樹脂系接着剤が塗布されたＰＥＴ（polyethylene terephthalate)フィルム、樹脂製部品などから構成され、前述の積層体の周縁に接着される。
【００２４】
図１に示した調湿素子１００の構成は一例であり、除湿面および加湿面を有する調湿素子であれば、別の材料、別の構造の調湿素子でもよい。
【００２５】
一般的に、このような、除湿面に陽極が設けられ、加湿面に陰極が設けられた固体高分子電解質膜を含む調湿素子を用いて調湿空間を除湿する場合は、除湿面が調湿空間に露出して調湿素子が設置される。調湿空間を加湿する場合は、加湿面が調湿空間に露出して調湿素子が設置される。
【００２６】
調湿素子１００の加湿動作について図２を参照して説明する。調湿対象の空間（以下、調湿空間）３０００の外装部３００の開口部３１０に調湿素子１００が取り付けられている。調湿素子１００の除湿面１１１が調湿空間３０００に露出しており、加湿面１１２が外気と接している。外部電源９から調湿素子１００に電圧を印加すると、除湿面１１１で除湿反応が起こり、加湿面１１２で加湿反応が起こるため、調湿空間３０００の湿度が下がる。
【００２７】
調湿素子１００の加湿動作について図３を参照して説明する。調湿空間３０００の外装部３００の開口部３１０に調湿素子１００が取り付けられている。調湿素子１００の除湿面１１１が外気と接しており、加湿面１１２が調湿空間３０００に露出している。調湿素子１００に、外部電源９から電圧を印加すると、除湿面１１１で除湿反応が起こり、加湿面１１２で加湿反応が起こるため、調湿空間３０００の湿度が上がる。
【００２８】
図２および図３に示すような、調湿空間３０００の開口部３１０に単一の調湿素子１００を取り付ける構造では、除湿または加湿のどちらかの湿度制御しかできない。実施の形態１に係る調湿装置は、単一の調湿素子１００で、調湿空間の除湿および加湿の双方向の湿度制御を可能にするものである。以下、実施の形態１に係る調湿装置２００Ａについて説明する。
【００２９】
実施の形態１に係る調湿装置２００Ａの構造について図４を用いて説明する。
調湿装置２００Ａは、調湿素子１００、調湿素子１００を保持する筐体２１０、開閉可能な電磁弁２２０Ａ〜電磁弁２２０Ｄ、調湿空間３０００の温度および湿度を測定する温湿度センサ２３０、調湿空間３０００の温度および湿度を表示して調湿空間３０００の設定湿度およびその許容幅を入力可能な操作表示盤２４０、および、調湿装置２００Ａを制御する制御装置２５０Ａを備える。
【００３０】
筐体２１０は、除湿空間１０００および加湿空間２０００を有する。電磁弁２２０Ａは、除湿空間１０００と調湿空間３０００とを連通する開口部に設けられている。電磁弁２２０Ｂは、除湿空間１０００と外部空間とを連通する開口部に設けられている。電磁弁２２０Ｃは、筐体２１０の加湿空間２０００と調湿空間３０００とを連通する開口部に設けられている。電磁弁２２０Ｄは、筐体２１０の加湿空間２０００と外部空間とを連通する開口部に設けられている。電磁弁２２０Ａ、電磁弁２２０Ｃ、電磁弁２２０Ｂおよび電磁弁２２０Ｄはそれぞれ、第１の弁、第２の弁、第３の弁および第４の弁の例である。
【００３１】
除湿空間１０００は、電磁弁２２０Ａおよび電磁弁２２０Ｂが閉じた状態では、密閉空間である。加湿空間２０００は、電磁弁２２０Ｃおよび電磁弁２２０Ｄが閉じた状態では、密閉空間である。密閉空間とは、他の空間との間で空気の流入出がない密閉された空間のことである。調湿素子１００は、除湿面１１１が除湿空間１０００に露出し、加湿面１１２が加湿空間２０００に露出して配置されている。調湿素子１００は、外部電源９に、接続されている。
【００３２】
調湿装置２００Ａの筐体２１０と調湿空間３０００の外装部３００とは、パッキン２６０を介して、ねじ２７０で固定され、筐体２１０と外装部３００との間に空気が入り込まないように密閉されている。
【００３３】
温湿度センサ２３０は、定期的に調湿空間３０００の温度および湿度を測定し、測定した温度および湿度を示す測定情報を制御装置２５０Ａに送る。温湿度センサ２３０は、湿度センサの例である。温湿度センサ２３０の設置位置は、図４の例に限らない。温湿度センサ２３０は、調湿空間３０００の空気に接する面に設置されればよい。温湿度センサ２３０が筐体２１０から離隔して設置される場合には、例えば制御装置２５０Ａに無線通信で情報を送信すればよい。また、温湿度センサ２３０は、制御装置２５０Ａからの指示に従って、測定情報を制御装置２５０Ａに送るようにしてもよい。
【００３４】
操作表示盤２４０は、温湿度センサ２３０が測定した調湿空間３０００の温度および湿度を表示し、調湿空間３０００の設定湿度およびその許容幅の入力を受け付ける。設定湿度とは、ユーザが希望する調湿空間３０００の湿度である。許容幅とは、ユーザが許容する設定湿度前後の湿度の幅である。許容幅は入力しなくてもよいし、０％を入力してもよい。操作表示盤２４０は、入力された設定湿度を示す設定湿度情報および許容幅を示す許容幅情報を制御装置２５０Ａに送る。操作表示盤２４０は、操作盤の例である。操作表示盤２４０の設置位置は、図４の例に限らない。操作表示盤２４０は、ユーザが視認し情報を入力できる位置に設置されればよい。操作表示盤２４０が筐体２１０から離隔して設置される場合には、制御装置２５０Ａとは無線通信で情報を送受信すればよい。
【００３５】
制御装置２５０Ａは、温湿度センサ２３０から受け取った測定情報および操作表示盤２４０から受け取った設定湿度情報および許容幅情報に基づいて、電磁弁２２０Ａ〜電磁弁２２０Ｄの開閉、および、外部電源９から調湿素子１００への電圧印加を制御する。また、制御装置２５０Ａは、温湿度センサ２３０から受け取った測定情報および操作表示盤２４０から受け取った設定湿度情報および許容幅情報に基づいて、操作表示盤２４０の表示画面を制御する。
【００３６】
ここで、制御装置２５０Ａの機能構成について図５を参照して説明する。制御装置２５０Ａは、機能構成として、電磁弁２２０Ａ〜２２０Ｄを制御する電磁弁制御部２５１、データを記憶する記憶部２５２、調湿素子１００への電圧の印加を制御する電圧印加部２５３および表示を制御する表示制御部２５４を備える。
【００３７】
記憶部２５２は、温湿度センサ２３０から受け取った測定情報および操作表示盤２４０から受け取った設定湿度情報および許容幅情報を記憶する。また、記憶部２５２は、操作表示盤２４０の表示画面を生成するために必要な画面素材情報をあらかじめ記憶している。
【００３８】
電磁弁制御部２５１は、記憶部２５２が記憶する測定情報、設定湿度情報および許容幅情報に基づいて、電磁弁２２０Ａ〜電磁弁２２０Ｄの開閉を制御する。電磁弁制御部２５１は、弁制御部の例である。
【００３９】
電圧印加部２５３は、記憶部２５２が記憶する測定情報、設定湿度情報および許容幅情報に基づいて、外部電源９から調湿素子１００への電圧印加のＯＮ−ＯＦＦを制御する。
【００４０】
表示制御部２５４は、記憶部２５２が記憶する測定情報、設定湿度情報および許容幅情報と、画面素材情報とに基づいて、操作表示盤２４０の表示画面を生成し、操作表示盤２４０に表示させる。
【００４１】
操作表示盤２４０の表示画面について、図６を参照して説明する。図６の例では、操作表示盤２４０の表示画面は、測定された調湿空間３０００の温度２４１１および湿度２４１２を表示する温湿度表示領域２４１と、設定湿度２４２１を入力可能で、入力された値を表示する設定湿度表示入力領域２４２と、設定湿度の許容幅２４３１を入力可能で、入力された値を表示する許容幅表示入力領域２４３と、を有する。なお、図では、測定値をＰＶ、設定値をＳＶで示す。一例として、図６に示すように、測定された調湿空間３０００の湿度が８０％ＲＨ（Relative Humidity：相対湿度）であって、設定湿度６５％ＲＨが入力され、許容幅５％が入力された場合の、制御装置２５０Ａの動作について、図５に戻って説明する。
【００４２】
図５の制御装置２５０Ａの電磁弁制御部２５１および電圧印加部２５３は、記憶部２５２に、設定湿度６５％ＲＨを示す設定湿度情報およびが許容幅５％を示す許容幅情報が記憶されると、記憶部２５２が記憶する測定情報が示す湿度８０％ＲＨと比較する。測定情報が示す湿度８０％ＲＨは、設定湿度６５％ＲＨ＋許容幅５％＝７０％ＲＨよりも大きい。このように、測定情報が示す湿度が、設定湿度＋許容幅である許容上限値よりも大きい場合は、電圧印加部２５３は、外部電源９を制御して、調湿素子１００に電圧を印加する。また、電磁弁制御部２５１は、電磁弁２２０Ａを開いて電磁弁２２０Ｂを閉じ、かつ、電磁弁２２０Ｄを開いて電磁弁２２０Ｃを閉じる制御を行う。以下、このような制御を除湿制御という。制御装置２５０Ａが行う除湿制御について、図７を用いて説明する。
【００４３】
図７に示すように、電磁弁２２０Ａが開いて電磁弁２２０Ｂが閉じ、かつ、電磁弁２２０Ｄが開いて電磁弁２２０Ｃが閉じると、除湿空間１０００と調湿空間３０００とが連通し、加湿空間２０００と外部空間とが連通する。調湿素子１００に電圧が印加されたことで、除湿面１１１では、除湿反応が起こり、加湿面１１２では加湿反応が起こる。これにより、除湿空間１０００のＨ２０が調湿素子１００の除湿面１１１で電気分解され、除湿空間１０００の湿度が低下する。除湿空間１０００と調湿空間３０００とが連通しているため、調湿空間３０００のＨ２０が除湿空間１０００に流入し、調湿空間３０００の湿度も低下する。一方、加湿面１１２では、Ｈ２０が生成され、加湿空間２０００に放出される。加湿空間２０００に放出されたＨ２０は、外部空間に排出される。このように、制御装置２５０Ａの除湿制御によって、調湿空間３０００が除湿される。加湿空間２０００に外部空間に連通する開口部を設けることで、除湿量が加湿空間２０００の飽和水蒸気量によって制限されない。
【００４４】
図５に戻り、制御装置２５０Ａは、記憶部２５２が記憶する測定情報が示す湿度が、許容上限値以下になるまで、除湿制御を行う。記憶部２５２が記憶する測定情報が示す湿度が、許容上限値以下になると、電圧印加部２５３は、調湿素子１００への電圧の印加を停止して、電磁弁制御部２５１は、電磁弁２２０Ａ〜電磁弁２２０Ｄをすべて閉じる制御を行う。以下、このような制御を停止制御という。なお、停止制御は、これに限らず、電圧印加部２５３が、調湿素子１００への電圧の印加を停止して、電磁弁制御部２５１が少なくとも電磁弁２２０Ａおよび電磁弁２２０Ｃを閉じればよい。
【００４５】
一方、制御装置２５０Ａは、測定情報が示す湿度が、設定湿度情報が示す設定湿度−許容幅である許容下限値よりも小さい場合は、電圧印加部２５３は、外部電源９を制御して、調湿素子１００に電圧を印加する。また、電磁弁制御部２５１は、電磁弁２２０Ｂを開いて電磁弁２２０Ａを閉じ、かつ、電磁弁２２０Ｃを開いて電磁弁２２０Ｄを閉じる制御を行う。以下、これを加湿制御という。制御装置２５０Ａが行う加湿制御について、図８を用いて説明する。
【００４６】
図８に示すように、電磁弁２２０Ｂが開いて電磁弁２２０Ａが閉じ、かつ、電磁弁２２０Ｃが開いて電磁弁２２０Ｄが閉じると、加湿空間２０００と調湿空間３０００とが連通し、除湿空間１０００と外部空間とが連通する。調湿素子１００に電圧が印加されたことで、除湿面１１１では、除湿反応が起こる。これにより、加湿面１１２でＨ２０が生成され、加湿空間２０００に放出され、加湿空間２０００の湿度が上昇する。加湿空間２０００と調湿空間３０００とが連通しているため、加湿空間２０００のＨ２０が調湿空間３０００に流入し、調湿空間３０００の湿度も上昇する。一方、加湿面１１２では加湿反応が起こる。これにより、除湿空間１０００の空気および除湿空間１０００に流入する外気のＨ２０が調湿素子１００の除湿面１１１で電気分解される。このように、制御装置２５０Ａの加湿制御によって、調湿空間３０００が加湿される。除湿空間１０００に外部空間に連通する開口部を設けることで、加湿量が除湿空間１０００の容積によって制限されない。
【００４７】
図５に戻り、制御装置２５０Ａは、記憶部２５２が記憶する測定情報が示す湿度が、許容下限値以上になるまで、加湿制御を行う。制御装置２５０Ａは、記憶部２５２が記憶する測定情報が示す湿度が、許容下限値以上になると、停止制御を行う。制御装置２５０Ａは、記憶部２５２が記憶する測定情報が示す湿度が、許容下限値から許容上限値までの範囲内にある間は停止制御を行う。これにより、調湿空間３０００の湿度変化と電力の消費とを抑制することができる。なお、制御装置２５０Ａは、停止制御を行わず、除湿制御と加湿制御を繰り返して、調湿空間３０００の湿度を許容下限値から許容上限値までの範囲内の湿度に保つようにしてもよい。
【００４８】
ここまで、図６に示すように、操作表示盤２４０が温湿度表示領域２４１と、設定湿度表示入力領域２４２と、許容幅表示入力領域２４３と、を有する場合の制御装置２５０Ａの動作について説明したが、操作表示盤２４０は、少なくとも設定湿度を入力可能であればよい。また、操作表示盤２４０への入力はタッチパネルに表示された表示画面へのタッチ入力に限らず、押下式のボタン、キーボード、マウスなどの他の入力装置であってもよい。
【００４９】
操作表示盤２４０は、調湿空間３０００の温度２４１１は表示しなくてもよい。温度２４１１を表示しない場合には、温湿度センサ２３０は、湿度のみを測定する湿度センサでよい。この場合、測定情報は、測定した湿度を示す。また、操作表示盤２４０が表示機能を有しない場合には、制御装置２５０Ａは表示制御部２５４を備えなくてよい。操作表示盤２４０に設定湿度のみを入力可能である構成では、制御装置２５０Ａは、測定情報が示す湿度が、設定湿度情報が示す設定湿度よりも大きい場合に除湿制御を行い、測定情報が示す湿度が、設定湿度情報が示す設定湿度よりも小さい場合に加湿制御を行う。
【００５０】
続いて、調湿装置２００Ａが実行する調湿処理の流れを、図９を用いて説明する。図９に示す調湿処理１は、調湿装置２００Ａに電源が投入されたことで開始する。図９では、測定情報が示す湿度をＸ、設定湿度情報が示す設定湿度をＹ、許容幅情報が示す許容幅をＺとする。また、操作表示盤２４０に設定湿度およびその許容幅が入力される前は、記憶部２５２に、初期値を示す設定湿度情報および許容幅情報が記憶されているものとする。
【００５１】
操作表示盤２４０は、設定湿度およびその許容幅が入力された場合（ステップＳ１１；ＹＥＳ）、入力された設定湿度を示す設定湿度情報および許容幅を示す許容幅情報を制御装置２５０Ａに送る。制御装置２５０Ａは、操作表示盤２４０から受け取った設定湿度情報および許容幅情報を記憶部２５２に記憶する（ステップＳ１２）。設定湿度およびその許容幅が入力されない場合（ステップＳ１１；ＮＯ）、処理は、ステップＳ１３に移行する。
【００５２】
ステップＳ１１で、図６に示すように操作表示盤２４０に６５％ＲＨの設定湿度および５％の許容幅が入力された場合、操作表示盤２４０は、６５％ＲＨの設定湿度を示す設定湿度情報および５％の許容幅を示す許容幅情報を制御装置２５０Ａに送る。ステップＳ１２で、制御装置２５０Ａは、６５％ＲＨの設定湿度を示す設定湿度情報および５％の許容幅を示す許容幅情報を記憶部２５２に記憶する。
【００５３】
図９に戻り、電磁弁制御部２５１および電圧印加部２５３は、記憶部２５２が記憶する測定情報が示す湿度が、設定湿度情報が示す設定湿度に許容幅情報が示す許容幅を加算した値に相当する許容上限値よりも大きいか否か、つまり、Ｘ＞Ｙ＋Ｚであるか否かを判定する（ステップＳ１３）。Ｘ＞Ｙ＋Ｚである場合（ステップＳ１３；ＹＥＳ）、電圧印加部２５３は、外部電源９を制御して、調湿素子１００に電圧を印加し、電磁弁制御部２５１は、電磁弁２２０Ａを開いて電磁弁２２０Ｂを閉じ、かつ、電磁弁２２０Ｄを開いて電磁弁２２０Ｃを閉じる除湿制御を行う（ステップＳ１４）。
【００５４】
ステップＳ１３で、図６に示すように、測定情報が示す湿度８０％ＲＨが、設定湿度６５％ＲＨ＋許容幅５％＝７０％ＲＨよりも大きい場合、ステップＳ１４で、図７に示すように、電圧印加部２５３は、調湿素子１００に電圧を印加して、電磁弁制御部２５１は、電磁弁２２０Ａを開いて電磁弁２２０Ｂを閉じ、かつ、電磁弁２２０Ｄを開いて電磁弁２２０Ｃを閉じる除湿制御を行う。
【００５５】
図９に戻り、Ｘ＞Ｙ＋Ｚでない場合（ステップＳ１３；ＮＯ）、電磁弁制御部２５１および電圧印加部２５３は、記憶部２５２が記憶する測定情報が示す湿度が、設定湿度情報が示す設定湿度から許容幅情報が示す許容幅を減算した値に相当する許容下限値よりも小さいか否か、つまり、Ｘ＜Ｙ−Ｚであるか否かを判定する（ステップＳ１５）。Ｘ＜Ｙ−Ｚである場合（ステップＳ１５；ＹＥＳ）、電圧印加部２５３は、外部電源９を制御して、調湿素子１００に電圧を印加し、電磁弁制御部２５１は、電磁弁２２０Ｂを開いて電磁弁２２０Ａを閉じ、かつ、電磁弁２２０Ｃを開いて電磁弁２２０Ｄを閉じる加湿制御を行う（ステップＳ１６）。
【００５６】
Ｘ＜Ｙ−Ｚでない場合（ステップＳ１５；ＮＯ）、電圧印加部２５３は、調湿素子１００への電圧の印加を停止して、電磁弁制御部２５１は、電磁弁２２０Ａ〜電磁弁２２０Ｄをすべて閉じる停止制御を行う（ステップＳ１８）。電磁弁制御部２５１および電圧印加部２５３がすでに停止制御を行っている場合には、ステップＳ１８では停止制御を続行する。
【００５７】
電磁弁制御部２５１および電圧印加部２５３は、記憶部２５２が記憶する測定情報が示す湿度が、許容下限値から許容上限値までの範囲内に入ったか否か、つまり、Ｙ−Ｚ≦Ｘ≦Ｙ＋Ｚであるか否かを判定する（ステップＳ１７）。Ｙ−Ｚ≦Ｘ≦Ｙ＋Ｚでない場合（ステップＳ１７；ＮＯ）、電磁弁制御部２５１および電圧印加部２５３は、ステップＳ１３に戻り、ステップＳ１３〜ステップＳ１７を繰り返す。Ｙ−Ｚ≦Ｘ≦Ｙ＋Ｚになった場合（ステップＳ１７；ＹＥＳ）、電磁弁制御部２５１および電圧印加部２５３は、停止制御を行う（ステップＳ１８）。調湿装置２００Ａの電源がＯＦＦになっていなければ（ステップＳ１９；ＮＯ）、ステップＳ１１に戻り、ステップＳ１１〜ステップＳ１９を繰り返す。電源がＯＦＦになった場合（ステップＳ１９；ＹＥＳ）、処理を終了する。
【００５８】
ステップＳ１７で、測定情報が示す湿度が設定湿度６５％ＲＨ＋許容幅５％＝７０％ＲＨより大きい間は、電磁弁制御部２５１および電圧印加部２５３は、ステップＳ１３、ステップＳ１４およびステップＳ１７を繰り返して、除湿制御を続行する。ステップＳ１７で、測定情報が示す湿度が設定湿度６５％ＲＨ＋許容幅５％＝７０％ＲＨ以下になると、ステップＳ１８で、電磁弁制御部２５１および電圧印加部２５３は、停止制御を行う。
【００５９】
図９の例では、ステップＳ１８で停止制御を行うが、ステップＳ１８を省略し、調湿装置２００Ａに電源が入っている間は、除湿制御と加湿制御を繰り返して許容下限値から許容上限値までの範囲内の湿度を保つようにしてもよい。
【００６０】
実施の形態１に係る調湿装置２００Ａによれば、調湿素子１００の除湿面１１１で除湿された除湿空間１０００と調湿空間３０００とを連通して調湿空間３０００を除湿し、加湿面１１２で加湿された加湿空間２０００と調湿空間３０００とを連通して調湿空間３０００を加湿することで、単一の調湿素子１００で、調湿空間３０００の除湿および加湿の双方向の湿度制御が可能になる。
【００６１】
調湿装置２００Ａは、図１０に示すように、調湿空間３０００の内部に装着されてもよい。調湿装置２００Ａが調湿空間３０００の内部に設置されることで、省スペース化が図れる。また、調湿空間３０００の外部に装着する場合に比べて調湿空間３０００の外装部３００の外観を損ねない。
【００６２】
（実施の形態２）
実施の形態２では、ユーザが操作表示盤に表示された調湿空間内の湿度を参照し、除湿、加湿、停止の指示を調湿装置に入力することで、調湿空間の除湿および加湿を行う。
【００６３】
実施の形態２に係る調湿装置の構造は、実施の形態１に係る調湿装置２００Ａと同様である。実施の形態２では、操作表示盤２４０は、除湿、加湿、停止の指示の入力を受け付ける。操作表示盤２４０は、除湿の指示が入力されると、除湿の指示を示す除湿指示情報を制御装置２５０Ａに送る。操作表示盤２４０は、加湿の指示が入力されると、加湿の指示を示す加湿指示情報を制御装置２５０Ａに送る。操作表示盤２４０は、停止の指示が入力されると、停止の指示を示す停止指示情報を制御装置２５０Ａに送る。
【００６４】
制御装置２５０Ａは、操作表示盤２４０から受け取った除湿指示情報、加湿指示情報および停止指示情報に従って、電磁弁２２０Ａ〜電磁弁２２０Ｄの開閉、および、外部電源９から調湿素子１００への電圧印加を制御する。
【００６５】
実施の形態２に係る制御装置２５０Ａの機能構成についても、実施の形態１の制御装置２５０Ａと同様である。記憶部２５２は、温湿度センサ２３０から受け取った測定情報と、操作表示盤２４０から受け取った除湿指示情報、加湿指示情報および停止指示情報とを記憶する。電磁弁制御部２５１および電圧印加部２５３は、記憶部２５２に除湿指示情報が記憶されると、除湿制御を行う。電磁弁制御部２５１および電圧印加部２５３は、記憶部２５２に加湿指示情報が記憶されると、加湿制御を行う。電磁弁制御部２５１および電圧印加部２５３は、記憶部２５２に停止指示情報が記憶されると、停止制御を行う。また、制御装置２５０Ａは、加湿制御および除湿制御のいずれも行っていない時は、停止制御を行うことで、調湿空間３０００の湿度変化と電力の消費を抑制することができる。
【００６６】
記憶部２５２は、操作表示盤２４０の表示画面を生成するために必要な画面素材情報をあらかじめ記憶している。表示制御部２５４は、記憶部２５２が記憶する測定情報および画面素材情報に基づいて、操作表示盤２４０の表示画面を生成し、操作表示盤２４０に表示させる。
【００６７】
実施の形態２に係る操作表示盤２４０の表示画面について、図１１を用いて説明する。図１１の例では、操作表示盤２４０の表示画面は、調湿空間３０００の温度２４１１および湿度２４１２を表示する温湿度表示領域２４１に加え、加湿の指示を入力可能な加湿ボタン２４４１、停止の指示を入力可能な停止ボタン２４４２および除湿の指示を入力可能な除湿ボタン２４４３を表示する制御指示入力領域２４４と、を有する。操作表示盤２４０は、加湿ボタン２４４１がタッチされた場合には、加湿の指示を示す加湿指示情報を制御装置２５０Ａに送る。操作表示盤２４０は、停止ボタン２４４２がタッチされた場合には、停止の指示を示す停止指示情報を制御装置２５０Ａに送る。操作表示盤２４０は、除湿ボタン２４４３がタッチされた場合には、除湿の指示を示す除湿指示情報を制御装置２５０Ａに送る。
【００６８】
操作表示盤２４０は、温湿度表示領域２４１を表示しなくてもよい。温湿度表示領域２４１を表示しない場合には、温湿度センサ２３０はなくてもよい。このような場合、例えば、ユーザは調湿空間３０００の湿度を知る手段を別で有し、調湿空間３０００の湿度に基づいて、加湿指示、除湿指示、停止指示を入力する。
【００６９】
続いて、実施の形態２に係る調湿装置２００Ａが実行する調湿処理の流れを、図１２を用いて説明する。図１２に示す調湿処理２は、調湿装置２００Ａに電源が投入されたことで開始する。操作表示盤２４０は、除湿の指示が入力された場合（ステップＳ２１；ＹＥＳ）、除湿の指示を示す除湿指示情報を制御装置２５０Ａに送る。制御装置２５０Ａが操作表示盤２４０から除湿指示情報を受け取ると、電圧印加部２５３は、調湿素子１００に電圧を印加して、電磁弁制御部２５１は、電磁弁２２０Ａを開いて電磁弁２２０Ｂを閉じ、かつ、電磁弁２２０Ｄを開いて電磁弁２２０Ｃを閉じる除湿制御を行う（ステップＳ２２）。
【００７０】
例えば、図１１に示す操作表示盤２４０の表示画面に表示された湿度２４１２が示す８０％ＲＨをユーザが参照して、調湿空間３０００内の湿度を６５％ＲＨまで下げたいと考えた場合、ユーザは、除湿ボタン２４４３をタッチする。これによりステップＳ２１で操作表示盤２４０に除湿の指示が入力される。操作表示盤２４０は、除湿指示情報を制御装置２５０Ａに送る。制御装置２５０Ａが操作表示盤２４０から除湿指示情報を受け取ると、ステップＳ２２で、電圧印加部２５３および電磁弁制御部２５１は、調湿素子１００に電圧を印加して、電磁弁２２０Ａを開いて電磁弁２２０Ｂを閉じ、かつ、電磁弁２２０Ｄを開いて電磁弁２２０Ｃを閉じる除湿制御を行う。
【００７１】
図１２に戻り、操作表示盤２４０は、加湿の指示が入力された場合（ステップＳ２１；ＮＯ、ステップＳ２３；ＹＥＳ）、加湿の指示を示す加湿指示情報を制御装置２５０Ａに送る。制御装置２５０Ａが操作表示盤２４０から加湿指示情報を受け取ると、電圧印加部２５３は、調湿素子１００に電圧を印加して、電磁弁制御部２５１は、電磁弁２２０Ｂを開いて電磁弁２２０Ａを閉じ、かつ、電磁弁２２０Ｃを開いて電磁弁２２０Ｄを閉じる加湿制御を行う（ステップＳ２４）。操作表示盤２４０は、加湿の指示が入力されない場合（ステップＳ２３；ＮＯ）、ステップＳ２１およびステップＳ２３を繰り返して、除湿の指示または加湿の指示の入力を待機する。
【００７２】
例えば、図１１に示す操作表示盤２４０の表示画面に表示された湿度２４１２が示す８０％ＲＨをユーザが参照して、調湿空間３０００内の湿度を９０％ＲＨまで上げたいと考えた場合、ユーザは、加湿ボタン２４４１をタッチする。これによりステップＳ２３で操作表示盤２４０に加湿の指示が入力される。操作表示盤２４０は、加湿指示情報を制御装置２５０Ａに送る。制御装置２５０Ａが操作表示盤２４０から加湿指示情報を受け取ると、ステップＳ２４で、電圧印加部２５３および電磁弁制御部２５１は、調湿素子１００に電圧を印加して、電磁弁２２０Ｂを開いて電磁弁２２０Ａを閉じ、かつ、電磁弁２２０Ｃを開いて電磁弁２２０Ｄを閉じる加湿制御を行う。
【００７３】
操作表示盤２４０は、停止の指示が入力されない場合（ステップＳ２５；ＮＯ）、ステップＳ２５を繰り返して、停止の指示の入力を待機する。操作表示盤２４０は、停止の指示が入力された場合（ステップＳ２５；ＹＥＳ）、停止の指示を示す停止指示情報を制御装置２５０Ａに送る。制御装置２５０Ａが操作表示盤２４０から停止指示情報を受け取ると、電圧印加部２５３は、調湿素子１００への電圧の印加を停止して、電磁弁制御部２５１は、電磁弁２２０Ａ〜電磁弁２２０Ｄをすべて閉じる停止制御を行う（ステップＳ２６）。調湿装置２００Ａの電源がＯＦＦになっていなければ（ステップＳ２７；ＮＯ）、ステップＳ２１に戻り、ステップＳ２１〜ステップＳ２７を繰り返す。電源がＯＦＦになった場合（ステップＳ２７；ＹＥＳ）、処理を終了する。
【００７４】
図１１に示す操作表示盤２４０の表示画面を参照したユーザが調湿空間３０００内の湿度を６５％ＲＨまで下げたいと考えて除湿ボタン２４４３をタッチしていた場合、ユーザは、操作表示盤２４０の表示画面に表示された湿度２４１２が６５％ＲＨになったときに、停止ボタン２４４２をタッチする。これによりステップＳ２５で操作表示盤２４０に停止の指示が入力される。制御装置２５０Ａが操作表示盤２４０から停止指示情報を受け取ると、ステップＳ２６で、電磁弁制御部２５１および電圧印加部２５３は、停止制御を行う。
【００７５】
図１１に示す操作表示盤２４０の表示画面を参照したユーザが調湿空間３０００内の湿度を９０％ＲＨまで上げたいと考えて加湿ボタン２４４１をタッチしていた場合、ユーザは、操作表示盤２４０の表示画面に表示された湿度２４１２が９０％ＲＨになったときに、停止ボタン２４４２をタッチする。これによりステップＳ２５で操作表示盤２４０に停止の指示が入力される。制御装置２５０Ａが操作表示盤２４０から停止指示情報を受け取ると、ステップＳ２６で、電磁弁制御部２５１および電圧印加部２５３は、停止制御を行う。
【００７６】
実施の形態２に係る調湿装置２００Ａによれば、ユーザが除湿、加湿、停止の指示を入力することで、制御装置２５０Ａの処理が簡単になるので、実施の形態１に比べて処理負荷を軽減することができる。
【００７７】
（実施の形態３）
実施の形態３では、電磁弁の代わりに手動弁を用いる。ユーザが調湿装置の手動弁の開閉を行い、調湿素子への電圧印加ＯＮ−ＯＦＦの指示を調湿装置に入力することで、調湿空間の除湿および加湿を行う。
【００７８】
実施の形態３に係る調湿装置の構造について図１３を用いて説明する。調湿装置２００Ｂは、調湿素子１００、調湿素子１００を保持する筐体２１０、開閉可能な手動弁２２１Ａ〜手動弁２２１Ｄ、調湿空間３０００の温度および湿度を測定する温湿度センサ２３０、調湿空間３０００の設定湿度を入力可能な操作表示盤２４０、および、調湿装置２００Ｂを制御する制御装置２５０Ｂを備える。
【００７９】
筐体２１０は、除湿空間１０００および加湿空間２０００を有する。手動弁２２１Ａは、除湿空間１０００と調湿空間３０００とを連通する開口部に設けられている。手動弁２２１Ｂは、除湿空間１０００と外部空間とを連通する開口部に設けられている。手動弁２２１Ｃは、加湿空間２０００と調湿空間３０００とを連通する開口部に設けられている。手動弁２２１Ｄは、加湿空間２０００と外部空間とを連通する開口部に設けられている。手動弁２２１Ａ、手動弁２２１Ｃ、手動弁２２１Ｂおよび手動弁２２１Ｄはそれぞれ、第１の弁、第２の弁、第３の弁および第４の弁の例である。
【００８０】
除湿空間１０００は、手動弁２２１Ａおよび手動弁２２１Ｂが閉じた状態では密閉空間である。加湿空間２０００は、手動弁２２１Ｃおよび手動弁２２１Ｄが閉じた状態では密閉空間である。
【００８１】
操作表示盤２４０は、電圧印加ＯＮ−ＯＦＦの指示の入力を受け付ける。操作表示盤２４０は、電圧印加ＯＮの指示が入力されると、電圧印加ＯＮの指示を示すＯＮ指示情報を制御装置２５０Ｂに送る。操作表示盤２４０は、電圧印加ＯＦＦの指示が入力されると、電圧印加ＯＦＦの指示を示すＯＦＦ指示情報を制御装置２５０Ｂに送る。
【００８２】
制御装置２５０Ｂは、操作表示盤２４０から受け取ったＯＮ指示情報およびＯＦＦ指示情報に従って、外部電源９から調湿素子１００への電圧印加を制御する。また、制御装置２５０Ｂは、温湿度センサ２３０から受け取った測定情報に基づいて、操作表示盤２４０の表示画面を制御する。その他の構成は、実施の形態１および実施の形態２と同様である。
【００８３】
ここで、制御装置２５０Ｂの機能構成について図１４を用いて説明する。制御装置２５０Ｂの機能構成は、制御装置２５０Ａの機能構成から電磁弁制御部２５１を削除したものである。記憶部２５２は、温湿度センサ２３０から受け取った測定情報および操作表示盤２４０から受け取ったＯＮ指示情報およびＯＦＦ指示情報を記憶する。電圧印加部２５３は、記憶部２５２にＯＮ指示情報が記憶されると、調湿素子１００に電圧を印加する。電圧印加部２５３は、記憶部２５２にＯＦＦ指示情報が記憶されると、調湿素子１００への電圧の印加を停止する。
【００８４】
なお、制御装置２５０Ｂは、手動弁２２１Ａ〜手動弁２２１Ｄを制御しないので、図１４には、手動弁２２１Ａ〜手動弁２２１Ｄを記載していない。記憶部２５２は、操作表示盤２４０の表示画面を生成するために必要な画面素材情報をあらかじめ記憶している。表示制御部２５４は、記憶部２５２が記憶する測定情報および画面素材情報に基づいて、操作表示盤２４０の表示画面を生成し、操作表示盤２４０に表示させる。
【００８５】
実施の形態３に係る操作表示盤２４０の表示画面について、図１５を用いて説明する。図１５の例では、操作表示盤２４０の表示画面は、調湿空間３０００の温度２４１１および湿度２４１２を表示する温湿度表示領域２４１と、電圧印加ＯＮの指示を入力可能なＯＮボタン２４５１および電圧印加ＯＦＦの指示を入力可能なＯＦＦボタン２４５２を表示するＯＮ−ＯＦＦ指示入力領域２４５と、を有する。操作表示盤２４０は、ＯＮボタン２４５１がタッチされた場合には、電圧印加ＯＮの指示を示すＯＮ指示情報を制御装置２５０Ｂに送る。操作表示盤２４０は、ＯＦＦボタン２４５２がタッチされた場合には、電圧印加ＯＦＦの指示を示すＯＦＦ指示情報を制御装置２５０Ｂに送る。
【００８６】
操作表示盤２４０は、温湿度表示領域２４１を表示しなくてもよい。温湿度表示領域２４１を表示しない場合には、温湿度センサ２３０はなくてもよい。このような場合、例えば、ユーザは調湿空間３０００の湿度を知る手段を別で有し、調湿空間３０００の湿度に基づいて、電圧印加ＯＮ−ＯＦＦの指示を入力する。
【００８７】
続いて、実施の形態３に係る調湿装置２００Ｂが実行する調湿処理の流れを、図１６を用いて説明する。図１６に示す調湿処理３は、調湿装置２００Ｂに電源が投入されたことで開始する。操作表示盤２４０は、電圧印加ＯＮの指示が入力されない場合（ステップＳ３１；ＮＯ）、ステップＳ３１を繰り返して、電圧印加ＯＮの指示の入力を待機する。操作表示盤２４０は、電圧印加ＯＮの指示が入力された場合（ステップＳ３１；ＹＥＳ）、電圧印加ＯＮの指示を示すＯＮ指示情報を制御装置２５０Ｂに送る。制御装置２５０Ｂが操作表示盤２４０からＯＮ指示情報を受け取ると、電圧印加部２５３は、調湿素子１００に電圧を印加する（ステップＳ３２）。
【００８８】
例えば、図１５に示す操作表示盤２４０の表示画面に表示された湿度２４１２が示す８０％ＲＨをユーザが参照して、調湿空間３０００内の湿度を６５％ＲＨまで下げたいと考えた場合、ユーザは、手動弁２２１Ａを開いて手動弁２２１Ｂを閉じ、かつ、手動弁２２１Ｄを開いて手動弁２２１Ｃを閉じ、ＯＮボタン２４５１をタッチする。これによりステップＳ３１で操作表示盤２４０に電圧印加ＯＮの指示が入力される。操作表示盤２４０は、ＯＮ指示情報を制御装置２５０Ｂに送る。制御装置２５０Ｂが操作表示盤２４０からＯＮ指示情報を受け取ると、ステップＳ３２で、電圧印加部２５３は、調湿素子１００に電圧を印加する。
【００８９】
手動弁２２１Ａが開いて手動弁２２１Ｂが閉じ、かつ、手動弁２２１Ｄが開いて手動弁２２１Ｃが閉じると、除湿空間１０００と調湿空間３０００とが連通し、加湿空間２０００と外部空間とが連通する。調湿素子１００に電圧が印加されたことで、除湿面１１１では、除湿反応が起こり、加湿面１１２では加湿反応が起こる。これにより、調湿空間３０００のＨ２０が除湿空間１０００に流入し、調湿素子１００の除湿面１１１で電気分解される。加湿面１１２でＨ２０およびＨ２が生成され、加湿空間２０００に放出される。加湿空間２０００に放出されたＨ２０は、外部空間に排出される。このように、ユーザが除湿時に必要な手動弁２２１Ａ〜手動弁２２１Ｄの開閉を把握しており、手動弁２２１Ａ〜手動弁２２１Ｄの開閉を行って、電圧印加ＯＮ−ＯＦＦの指示を入力することで、調湿空間３０００が除湿される。
【００９０】
例えば、図１５に示す操作表示盤２４０の表示画面に表示された湿度２４１２が示す８０％ＲＨをユーザが参照して、調湿空間３０００内の湿度を９０％ＲＨまで上げたいと考えた場合、ユーザは、手動弁２２１Ｂを開いて手動弁２２１Ａを閉じ、かつ、手動弁２２１Ｃを開いて手動弁２２１Ｄを閉じ、ＯＮボタン２４５１をタッチする。これによりステップＳ３１で操作表示盤２４０に電圧印加ＯＮの指示が入力される。操作表示盤２４０は、ＯＮ指示情報を制御装置２５０Ｂに送る。制御装置２５０Ｂが操作表示盤２４０からＯＮ指示情報を受け取ると、ステップＳ３２で、電圧印加部２５３は、調湿素子１００に電圧を印加する。
【００９１】
手動弁２２１Ｂを開いて手動弁２２１Ａを閉じ、かつ、手動弁２２１Ｃを開いて手動弁２２１Ｄを閉じると、加湿空間２０００と調湿空間３０００とが連通し、除湿空間１０００と外部空間とが連通する。調湿素子１００に電圧が印加されたことで、除湿面１１１では、除湿反応が起こり、加湿面１１２では加湿反応が起こる。これにより、除湿空間１０００の空気および除湿空間１０００に流入する外気のＨ２０が調湿素子１００の除湿面１１１で電気分解される。加湿面１１２でＨ２０が生成され、加湿空間２０００に放出される。加湿空間２０００に放出されたＨ２０が調湿空間３０００に流入する。このように、ユーザが加湿時に必要な手動弁２２１Ａ〜手動弁２２１Ｄの開閉を把握しており、手動弁２２１Ａ〜手動弁２２１Ｄの開閉を行って、電圧印加ＯＮ−ＯＦＦの指示を入力することで、調湿空間３０００が加湿される。
【００９２】
図１６に戻り、操作表示盤２４０は、電圧印加ＯＦＦの指示が入力されない場合（ステップＳ３３；ＮＯ）、ステップＳ３３を繰り返して、電圧印加ＯＦＦの指示の入力を待機する。操作表示盤２４０は、ＯＦＦの指示が入力された場合（ステップＳ３３；ＹＥＳ）、電圧印加ＯＦＦの指示を示すＯＦＦ指示情報を制御装置２５０Ｂに送る。制御装置２５０Ｂが操作表示盤２４０からＯＦＦ指示情報を受け取ると、電圧印加部２５３は、調湿素子１００への電圧の印加を停止する（ステップＳ３４）。調湿装置２００Ｂの電源がＯＦＦになっていなければ（ステップＳ３５；ＮＯ）、ステップＳ３１に戻り、ステップＳ３１〜ステップＳ３５を繰り返す。電源がＯＦＦになった場合（ステップＳ３５；ＹＥＳ）、処理を終了する。
【００９３】
図１５に示す操作表示盤２４０の表示画面を参照したユーザが調湿空間３０００内の湿度を６５％ＲＨまで下げたいと考えて手動弁２２１Ａ〜手動弁２２１Ｄの開閉を行い、ＯＮボタン２４５１をタッチしていた場合、ユーザは、操作表示盤２４０の表示画面に表示された湿度２４１２が６５％ＲＨになったときに、ＯＦＦボタン２４５２をタッチする。これによりステップＳ３３で操作表示盤２４０にＯＦＦの指示が入力される。制御装置２５０Ｂが操作表示盤２４０からＯＦＦ指示情報を受け取ると、ステップＳ３４で、電圧印加部２５３が調湿素子１００への電圧の印加を停止して、処理を終了する。
【００９４】
なお、調湿素子１００への電圧の印加が停止されている時は、手動弁２２１Ａ〜手動弁２２１Ｄをすべて閉じることで、調湿空間３０００の湿度変化を抑制することができる。
【００９５】
実施の形態３に係る調湿装置２００Ｂによれば、ユーザが手動弁２２１Ａ〜手動弁２２１Ｄの開閉を行い、電圧印加ＯＮ−ＯＦＦの指示を入力することで、制御装置２５０Ｂの処理が簡単になるので、実施の形態１および実施の形態２に比べて処理負荷を軽減することができる。また、電磁弁の代わりに手動弁を用いることで、調湿装置２００Ｂを製造するコストも低減することができる。
【００９６】
（実施の形態４）
実施の形態４では、調湿装置に水を生成する機能を追加する。実施の形態４では、実施の形態２の調湿装置２００Ａに水を生成する機能を追加した場合について説明する。
【００９７】
実施の形態４に係る調湿装置の構造について図１７を用いて説明する。調湿装置２００Ｃは、図４に示す調湿装置２００Ａの加湿空間２０００に、テーパー部２８０と貯水槽２９０を備えた構造である。テーパー部２８０は、空気中の水分が結露する素材でできている。結露した水分はテーパー部２８０を伝って貯水槽２９０へ流れるように配置されている。貯水槽２９０は、テーパー部２８０から流れてきた水を貯蔵する。
【００９８】
実施の形態４では、操作表示盤２４０は、除湿、加湿、停止の指示に加え、水生成の指示の入力を受け付ける。操作表示盤２４０は、水生成の指示が入力されると、水生成の指示を示す水生成指示情報を制御装置２５０Ａに送る。制御装置２５０Ａは、操作表示盤２４０から水生成指示情報を受け取ると、電磁弁２２０Ａ〜電磁弁２２０Ｄの開閉、および、外部電源９から調湿素子１００への電圧印加を制御する。その他の構成は、実施の形態２と同様である。
【００９９】
実施の形態４に係る制御装置２５０Ａの機能構成は、図５に示す制御装置２５０Ａの機能構成と同様である。記憶部２５２は、操作表示盤２４０から受け取った水生成指示情報を記憶する。記憶部２５２に水生成指示情報が記憶されると、電圧印加部２５３は、調湿素子１００に電圧を印加して、電磁弁制御部２５１は、図１７に示すように電磁弁２２０Ｂを開いて電磁弁２２０Ａ、電磁弁２２０Ｃおよび電磁弁２２０Ｄを閉じる制御を行う。以下、このような制御を水生成制御という。その他の機能構成は、実施の形態２と同様である。
【０１００】
このとき、電磁弁２２０Ｂが開いていることで開口部から流入した外気中の水分は調湿素子１００の除湿面１１１で除湿され、加湿面１１２で加湿される。電磁弁２２０Ｃおよび電磁弁２２０Ｄが閉じていることで加湿空間２０００は密閉空間であるため、湿度が上昇し、飽和水蒸気量に達すると、水分が結露する。結露した水分はテーパー部２８０を伝って貯水槽２９０へ流れて貯まる。調湿装置２００Ｃは、このように、水を生成することができる。
【０１０１】
実施の形態４に係る操作表示盤２４０の表示画面について、図１８を用いて説明する。図１８の例では、操作表示盤２４０の表示画面は、図１１に示す操作表示盤２４０の表示画面の制御指示入力領域２４４に、加湿ボタン２４４１、停止ボタン２４４２および除湿ボタン２４４３に加えて、水生成の指示を入力可能な水生成ボタン２４４４を有する。操作表示盤２４０は、水生成ボタン２４４４がタッチされた場合には、水生成の指示を示す水生成指示情報を制御装置２５０Ａに送る。その他の機能は実施の形態２と同様である。
【０１０２】
続いて、実施の形態４に係る調湿装置２００Ｃが実行する調湿処理の流れを、図１９を用いて説明する。図１９に示す調湿処理４は、調湿装置２００Ｃに電源が投入されたことで開始する。ステップＳ４１、ステップＳ４２、ステップＳ４３；ＹＥＳ、ステップＳ４４は、図１２に示すステップＳ２１、ステップＳ２２、ステップＳ２３；ＹＥＳ、ステップＳ２４と同様であるので説明を省略する。
【０１０３】
加湿の指示が入力されない場合（ステップＳ４３；ＮＯ）、操作表示盤２４０は、水生成の指示が入力されたか否かを判定する（ステップＳ４５）。水生成の指示が入力されない場合（ステップＳ４５；ＮＯ）、ステップＳ４１〜ステップＳ４５を繰り返して、除湿の指示、加湿の指示または水生成の指示の入力を待機する。水生成の指示が入力された場合（ステップＳ４５；ＹＥＳ）、水生成の指示を示す水生成指示情報を制御装置２５０Ａに送る。制御装置２５０Ａが操作表示盤２４０から水生成指示情報を受け取ると、電圧印加部２５３は、調湿素子１００に電圧を印加して、電磁弁制御部２５１は、電磁弁２２０Ｂを開いて電磁弁２２０Ａ、電磁弁２２０Ｃおよび電磁弁２２０Ｄを閉じる水生成制御を行う（ステップＳ４６）。
【０１０４】
例えば、図１８に示す操作表示盤２４０の表示画面に表示された水生成ボタン２４４４をユーザがタッチする。これによりステップＳ４５で操作表示盤２４０に水生成の指示が入力される。操作表示盤２４０は、水生成指示情報を制御装置２５０Ａに送る。制御装置２５０Ａが操作表示盤２４０から水生成指示情報を受け取ると、ステップＳ４６で、電圧印加部２５３および電磁弁制御部２５１は、調湿素子１００に電圧を印加して、電磁弁制御部２５１は、電磁弁２２０Ｂを開いて電磁弁２２０Ａ、電磁弁２２０Ｃおよび電磁弁２２０Ｄを閉じる水生成制御を行う。
【０１０５】
図１９に戻り、操作表示盤２４０は、停止の指示が入力されない場合（ステップＳ４７；ＮＯ）、ステップＳ４７を繰り返して、停止の指示の入力を待機する。操作表示盤２４０は、停止の指示が入力された場合（ステップＳ４７；ＹＥＳ）、停止の指示を示す停止指示情報を制御装置２５０Ａに送る。制御装置２５０Ａが操作表示盤２４０から停止指示情報を受け取ると、電圧印加部２５３は、調湿素子１００への電圧の印加を停止して、電磁弁制御部２５１は、電磁弁２２０Ａ〜電磁弁２２０Ｄをすべて閉じる停止制御を行う（ステップＳ４８）。調湿装置２００Ｃの電源がＯＦＦになっていなければ（ステップＳ４９；ＮＯ）、ステップＳ４１に戻り、ステップＳ４１〜ステップＳ４９を繰り返す。電源がＯＦＦになった場合（ステップＳ４９；ＹＥＳ）、処理を終了する。
【０１０６】
図１８に示す操作表示盤２４０の表示画面でユーザが水生成ボタン２４４４をタッチしていた場合、ユーザは、貯水槽２９０に十分水が貯まっているのを確認すると停止ボタン２４４２をタッチする。これによりステップＳ４７で操作表示盤２４０に停止の指示が入力される。制御装置２５０Ａが操作表示盤２４０から停止指示情報を受け取ると、ステップＳ４８で、電磁弁制御部２５１および電圧印加部２５３は、停止制御を行う。なお、水生成制御後の停止制御は、決められた時間経過後に自動で行ってもよい。
【０１０７】
実施の形態４に係る調湿装置２００Ｃによれば、調湿装置２００Ｃ内に水を生成することができる。例えば、植物を展示するショーケースに調湿装置２００Ｃを用いると、貯水槽２９０からホースを経由して調湿空間３０００内の植物に水を散布したり、植物を支える土に直接給水したりすることができる。
【０１０８】
図２に示すような、一般的な調湿装置の構造でも、調湿素子１００の加湿面１１２を外装部で覆い、テーパー部と貯水槽を設ければ、同じように水の生成が可能である。しかしながら、この方式の場合、生成可能な水の最大量は、調湿空間３０００内の水分量に制限を受けるため、無制限に水を生成することはできない。一方、調湿装置２００Ｃでは、流入する外気から水を生成するため、生成できる水分量に制限が無い。
【０１０９】
実施の形態４では、実施の形態２の調湿装置２００Ａに水を生成する機能を追加した場合について説明したが、実施の形態１〜実施の形態３のいずれの調湿装置にも水を生成する機能を追加可能である。以下に、実施の形態１の調湿装置２００Ａに水を生成する機能を追加した実施の形態４の変形例１、および、実施の形態３の調湿装置２００Ａに水を生成する機能を追加した実施の形態４の変形例２について説明する。
【０１１０】
変形例１の調湿装置の構造は、図１７に示す調湿装置２００Ｃの構造と同様である。変形例１の制御装置２５０Ａの機能構成は、図５に示す制御装置２５０Ａの機能構成と同様である。変形例１の操作表示盤２４０の表示画面について、図２０を用いて説明する。図２０の例では、操作表示盤２４０の表示画面は、図６に示す操作表示盤２４０の表示画面に加えて、水生成の指示を入力可能な水生成ボタン２４４４および自動制御ボタン２４４５を有する。
【０１１１】
操作表示盤２４０は、自動制御ボタン２４４５がタッチされた場合には、自動制御の指示を示す自動制御指示情報を制御装置２５０Ａに送り、制御装置２５０Ａは、自動制御指示情報を受け取ると、実施の形態１と同様に機能する。操作表示盤２４０は、水生成ボタン２４４４がタッチされた場合には、水生成の指示を示す水生成指示情報を制御装置２５０Ａに送る。制御装置２５０Ａは、操作表示盤２４０から受け取った水生成指示情報に従って、水生成制御を行う。制御装置２５０Ａは、決められた時間経過後に停止制御を行う。
【０１１２】
続いて、実施の形態４の変形例１に係る調湿装置２００Ｃが実行する調湿処理の流れを、図２１を用いて説明する。図２１に示す調湿処理５は、調湿装置２００Ｃに電源が投入されたことで開始する。自動制御の指示が入力された場合（ステップＳ５１；ＹＥＳ）、ステップＳ５２〜ステップＳ５８を実行する。ステップＳ５２〜ステップＳ５８は、図９に示すステップＳ１１〜ステップＳ１７と同様であるので説明を省略する。
【０１１３】
自動制御の指示が入力されない場合（ステップＳ５１；ＮＯ）、操作表示盤２４０は、水生成の指示が入力されたか否かを判定する（ステップＳ５９）。水生成の指示が入力されない場合（ステップＳ５９；ＮＯ）、ステップＳ５１およびステップＳ５９を繰り返して、自動制御の指示または水生成の指示の入力を待機する。水生成の指示が入力された場合（ステップＳ５９；ＹＥＳ）、水生成の指示を示す水生成指示情報を制御装置２５０Ａに送る。制御装置２５０Ａが操作表示盤２４０から水生成指示情報を受け取ると、電圧印加部２５３は、調湿素子１００に電圧を印加して、電磁弁制御部２５１は、電磁弁２２０Ｂを開いて電磁弁２２０Ａ、電磁弁２２０Ｃおよび電磁弁２２０Ｄを閉じる水生成制御を行う（ステップＳ６０）。
【０１１４】
例えば、図２０に示す操作表示盤２４０の表示画面に表示された水生成ボタン２４４４をユーザがタッチすると、ステップＳ５９で操作表示盤２４０に水生成の指示が入力される。操作表示盤２４０は、水生成指示情報を制御装置２５０Ａに送る。制御装置２５０Ａが操作表示盤２４０から水生成指示情報を受け取ると、ステップＳ６０で、電圧印加部２５３および電磁弁制御部２５１は、調湿素子１００に電圧を印加して、電磁弁制御部２５１は、電磁弁２２０Ｂを開いて電磁弁２２０Ａ、電磁弁２２０Ｃおよび電磁弁２２０Ｄを閉じる水生成制御を行う。
【０１１５】
図２１に戻り、制御装置２５０Ａは、決められた時間が経過しない場合（ステップＳ６１；ＮＯ）、ステップＳ６１を繰り返して、決められた時間の経過を待機する。決められた時間が経過した場合（ステップＳ６１；ＹＥＳ）、制御装置２５０Ａの電圧印加部２５３は、調湿素子１００への電圧の印加を停止して、電磁弁制御部２５１は、電磁弁２２０Ａ〜電磁弁２２０Ｄをすべて閉じる停止制御を行う（ステップＳ６２）。調湿装置２００Ｃの電源がＯＦＦになっていなければ（ステップＳ６３；ＮＯ）、ステップＳ５１に戻り、ステップＳ５１〜ステップＳ６３を繰り返す。電源がＯＦＦになった場合（ステップＳＳ６３；ＹＥＳ）、処理を終了する。
【０１１６】
図２１の例では、ステップＳ６１で決められた時間が経過したか否かを判定しているが、操作表示盤２４０の表示画面が停止ボタンを備える場合には、ステップＳ６１で停止指示が入力されたか否かを判定してもよい。停止の指示が入力された場合、操作表示盤２４０は停止の指示を示す停止指示情報を制御装置２５０Ａに送る。制御装置２５０Ａが操作表示盤２４０から停止指示情報を受け取ると、ステップＳ６２で、電磁弁制御部２５１および電圧印加部２５３は、停止制御を行う。
【０１１７】
実施の形態４の変形例２に係る調湿装置の構造について図２２を用いて説明する。調湿装置２００Ｄは、図１３に示す調湿装置２００Ｂの加湿空間２０００に、テーパー部２８０と貯水槽２９０を備えた構造である。テーパー部２８０は、空気中の水分が結露する素材でできている。結露した水分はテーパー部２８０を伝って貯水槽２９０へ流れるように配置されている。変形例２の制御装置２５０Ａの機能構成は、図５に示す制御装置２５０Ａの機能構成と同様である。変形例２の操作表示盤２４０の表示画面は、図１５に示す操作表示盤２４０の表示画面と同様である。
【０１１８】
水を生成したいと考えた場合、ユーザは、手動弁２２１Ｂを開いて、手動弁２２１Ａ、手動弁２２１Ｃおよび手動弁２２１Ｄを閉じ、操作表示盤２４０の表示画面のＯＮボタン２４５１をタッチする。これにより操作表示盤２４０に電圧印加ＯＮの指示が入力される。操作表示盤２４０は、ＯＮ指示情報を制御装置２５０Ｂに送る。制御装置２５０Ｂが操作表示盤２４０からＯＮ指示情報を受け取ると、電圧印加部２５３は、調湿素子１００に電圧を印加する。
【０１１９】
手動弁２２１Ｂが開いていることで開口部から流入した外気中の水分は調湿素子１００の除湿面１１１で除湿され、加湿面１１２で加湿される。手動弁２２１Ｃおよび手動弁２２１Ｄが閉じていることで加湿空間２０００は密閉空間であるため、湿度が上昇し、飽和水蒸気量に達すると、水分が結露する。結露した水分はテーパー部２８０を伝って貯水槽２９０へ流れて貯まる。調湿装置２００Ｄは、このように、水を生成することができる。
【０１２０】
上記の実施の形態では、除湿空間１０００および加湿空間２０００はそれぞれ、調湿空間３０００と連通する開口部および外部空間と連通する開口部を有する。これに限らず、除湿空間１０００および加湿空間２０００は、少なくとも調湿空間３０００と連通する開口部を有すればよい。この場合、調湿装置２００Ａの筐体２１０は、電磁弁２２０Ａおよび電磁弁２２０Ｃのみを備える。除湿制御では、制御装置２５０Ａの電圧印加部２５３は、調湿素子１００に電圧を印加し、電磁弁制御部２５１は、電磁弁２２０Ｃを閉じ、かつ、電磁弁２２０Ａを開く。加湿制御では、制御装置２５０Ａの電圧印加部２５３は、調湿素子１００に電圧を印加し、電磁弁制御部２５１は、電磁弁２２０Ａを閉じ、かつ、電磁弁２２０Ｃを開く。調湿装置２００Ｂの筐体２１０は、手動弁２２１Ａおよび手動弁２２１Ｃのみを備える。調湿空間３０００を除湿したい場合、ユーザは、操作表示盤２４０に電圧印加ＯＮの指示を入力し、手動弁２２１Ｃを閉じ、かつ、手動弁２２１Ａを開く。調湿空間３０００を加湿したい場合、ユーザは、操作表示盤２４０に電圧印加ＯＮの指示を入力し、手動弁２２１Ａを閉じ、かつ、手動弁２２１Ｃを開く。
【０１２１】
上記の実施の形態では、電磁弁２２０Ａ〜電磁弁２２０Ｄまたは手動弁２２１Ａ〜手動弁２２１Ｄを開閉することで、除湿空間１０００および加湿空間２０００と調湿空間３０００および外部空間とを連通する開口部を開放したり閉塞したりした。しかし、これに限らず、除湿空間１０００および加湿空間２０００と調湿空間３０００および外部空間とを連通する開口部を開放したり閉塞したりすることができる方法であれば何でもよい。
【０１２２】
また、各弁の配置位置は、調湿空間と除湿空間、調湿空間と加湿空間を連通する連通路上ならばどこでもよい。
【０１２３】
調湿素子の制御手法は、上述の実施の形態に限定されず、印加する電圧の大きさを制御する手法、印加する電圧のパルス幅を変調する手法など、種々の使用を組み合わせて採用可能である。
【０１２４】
上記の実施の形態では、設定湿度およびその許容幅を入力可能な調湿装置２００Ａの実施の形態１と、除湿、加湿、停止の指示を入力可能な調湿装置２００Ａの実施の形態２と、調湿素子への電圧印加ＯＮ−ＯＦＦの指示を入力可能な調湿装置２００Ｂの実施の形態３と、を別々に説明したが、実施の形態１〜３はそれぞれ組み合わせてもよい。例えば、調湿装置２００Ａに設定湿度およびその許容幅と、除湿、加湿、停止の指示とを入力可能にしてもよいし、調湿装置２００Ａに、電圧印加ＯＮ−ＯＦＦの指示を入力可能にしてもよい。あるいは、調湿装置２００Ｂに設定湿度およびその許容幅を入力可能にし、測定情報が示す湿度が、許容上限値または許容下限値になったときに、ユーザに通知する手段を備えてもよい。
【符号の説明】
【０１２５】
９  外部電源、１００  調湿素子、１１０  陽極側給電体、１１１  除湿面、１１２  加湿面、１２０  陽極側触媒層、１３０  陽極多孔質電極、１４０  固体高分子電解質膜、１５０  陰極側触媒層、１６０  陰極多孔質電極、１７０  陰極側給電体、１８０  枠体、２１０  筐体、２２０Ａ，２２０Ｂ，２２０Ｃ，２２０Ｄ  電磁弁、２２１Ａ，２２１Ｂ，２２１Ｃ，２２１Ｄ  手動弁、２３０  温湿度センサ、２４０  操作表示盤、２４１  温湿度表示領域、２４２  設定湿度表示入力領域、２４３  許容幅表示入力領域、２４４  制御指示入力領域、２４５  ＯＮ−ＯＦＦ指示入力領域、２５０Ａ，２５０Ｂ  制御装置、２５１  電磁弁制御部、２５２  記憶部、２５３  電圧印加部、２５４  表示制御部、２６０  パッキン、２７０  ねじ、２８０  テーパー部、２９０  貯水槽、３００  外装部、３１０  開口部、１０００  除湿空間、２０００  加湿空間、２４１１  温度、２４１２  湿度、２４２１  設定湿度、２４３１  許容幅、２４４１  加湿ボタン、２４４２  停止ボタン、２４４３  除湿ボタン、２４５１  ＯＮボタン、２４５２  ＯＦＦボタン、２４４４  水生成ボタン、２４４５  自動制御ボタン、３０００  調湿空間。
【図１】
2020046154.tif 000003
【図２】
2020046154.tif 000004
【図３】
2020046154.tif 000005
【図４】
2020046154.tif 000006
【図５】
2020046154.tif 000007
【図６】
2020046154.tif 000008
【図７】
2020046154.tif 000009
【図８】
2020046154.tif 000010
【図９】
2020046154.tif 000011
【図１０】
2020046154.tif 000012
【図１１】
2020046154.tif 000013
【図１２】
2020046154.tif 000014
【図１３】
2020046154.tif 000015
【図１４】
2020046154.tif 000016
【図１５】
2020046154.tif 000017
【図１６】
2020046154.tif 000018
【図１７】
2020046154.tif 000019
【図１８】
2020046154.tif 000020
【図１９】
2020046154.tif 000021
【図２０】
2020046154.tif 000022
【図２１】
2020046154.tif 000023
【図２２】
2020046154.tif 000024